(57)【要約】  本発明は、式（Ｉ）の顕色剤（Ａｒ1−ＳＯ2−ＮＨ−）ｍ−Ｙ−（−ＮＨ−Ｃ（Ｏ）−ＮＨ−ＳＯ2−Ａｒ2）ｎ      （Ｉ）［式中、Ａｒ1は、非置換または置換芳香族部分であり、Ａｒ2は、非置換または置換フェニル部分であり、Ｙは、少なくとも（ｍ＋ｎ）個置換されたベンゼン基またはナフタレン基であり、少なくとも１つのＡｒ2−ＳＯ2−ＮＨ−Ｃ（Ｏ）−ＮＨ基が少なくとも１つのＡｒ1−ＳＯ2−ＮＨ基に対してオルト位であるように置換されている］に関する。本発明はさらに、担体基材と少なくとも１種の発色剤および少なくとも１種のフェノール不含顕色剤を含有する感熱発色層とを含む感熱記録材料であって、少なくとも１種の顕色剤は、式（Ｉ）の化合物である、感熱記録材料にも関する。本発明はさらに、前記感熱記録材料を生成する方法にも関する。【特許請求の範囲】
【請求項１】
式（Ｉ）の化合物
（Ａｒ1−ＳＯ2−ＮＨ−）m−Ｙ−（−ＮＨ−Ｃ（Ｏ）−ＮＨ−ＳＯ2−Ａｒ2）n      （Ｉ）
［式中、
Ａｒ1は、非置換または置換芳香族基であり、
Ａｒ2は、非置換または置換フェニル基であり、
Ｙは、（ｍ＋ｎ）個置換された少なくとも１つのベンゼン基またはナフタレン基であり、少なくとも１つのＡｒ2−ＳＯ2−ＮＨ−Ｃ（Ｏ）−ＮＨ基が少なくとも１つのＡｒ1−ＳＯ2−ＮＨ基に対してオルト位に存在するように置換されている］。
【請求項２】
ｍ＝１およびｎ≧１である、請求項１に記載の化合物。
【請求項３】
ｎが、１または２である、請求項１または２に記載の化合物。
【請求項４】
Ａｒ1が、非置換もしくは置換フェニル基または非置換もしくは置換２−ナフチル基である、請求項１〜３のいずれか一項に記載の化合物。
【請求項５】
Ａｒ1が、非置換フェニルまたは一置換フェニル基である、請求項４に記載の化合物。
【請求項６】
一置換フェニル基が、Ｃ1〜Ｃ5アルキル、アルケニル、アルキニル、ベンジル、ＲＯ、ハロゲン、ホルミル、ＲＯＣ、ＲＯ2Ｃ、ＣＮ、ＮＯ2、Ｒ−ＳＯ2Ｏ、ＲＯ−ＳＯ2、Ｒ−ＮＨ−ＳＯ2、Ｒ−ＳＯ2−ＮＨ、Ｒ−ＮＨ−ＣＯ−ＮＨ、Ｒ−ＳＯ2−ＮＨ−ＣＯ−ＮＨ、Ｒ−ＮＨ−ＣＯ−ＮＨ−ＳＯ2またはＲ−ＣＯ−ＮＨ基で置換されており、式中、Ｒは、Ｃ1〜Ｃ5アルキル、アルケニル、アルキニル、フェニル、トリルまたはベンジル基、好ましくはフェニルまたはｐ−トリル基である、請求項５に記載の化合物。
【請求項７】
Ａｒ2が、非置換フェニル基または一置換フェニル基であり、特にＣ1〜Ｃ4アルキル基で置換されているフェニル基、特に好ましくはメチル基で置換されているフェニル基である、請求項１〜６のいずれか一項に記載の化合物。
【請求項８】
Ａｒ1が、非置換フェニル基または一置換フェニル基であり、Ａｒ2が、非置換フェニル基または一置換フェニル基であり、Ｙが、（ｍ＋ｎ）個置換されたベンゼン基である、請求項１〜７のいずれか一項に記載の化合物。
【請求項９】
担体基材と少なくとも１種の発色剤および少なくとも１種のフェノール不含顕色剤を含有する感熱発色層とを含む感熱記録材料であって、少なくとも１種の顕色剤は、請求項１〜８のいずれか一項に記載の式（Ｉ）の化合物である、感熱記録材料。
【請求項１０】
少なくとも１種の発色剤が、トリフェニルメタン型、フルオラン型、アザフタリド型および／またはフルオレン型の色素である、請求項９に記載の感熱記録材料。
【請求項１１】
式（Ｉ）の化合物に加えて、１種または複数の別の非フェノール系顕色剤も存在する、請求項９または１０に記載の感熱記録材料。
【請求項１２】
請求項１から８のいずれか一項に記載の式（Ｉ）の化合物が、感熱層の全固形分に対して約３〜約３５重量％、好ましくは約１０〜約２５重量％の量で存在する、請求項９〜１１のいずれか一項に記載の感熱記録材料。
【請求項１３】
感熱発色層が、一般式（ＩＩ）の尿素ウレタン化合物を含有する、請求項９〜１２のいずれか一項に記載の感熱記録材料。
【化１】
2020520833.tif 000012
【請求項１４】
感熱発色層の出発物質を含有する水性懸濁液が、担体基材に塗布され、乾燥され、塗布される水性懸濁液は、約２０〜約７５重量％、好ましくは約３０〜約５０重量％の固形分を有するものであり、カーテン被覆プロセスを使用して、少なくとも約４００ｍ／分、好ましくは少なくとも約１０００ｍ／分、極めて特に好ましくは少なくとも約１５００ｍ／分の被覆設備の作業速度で塗布され、乾燥される、請求項９〜１３のいずれか一項に記載の感熱記録材料を生成する方法。
【請求項１５】
請求項１４に記載の方法によって得られうる感熱記録材料。
【発明の詳細な説明】
【技術分野】
【０００１】
本発明は、顕色剤、担体基材と少なくとも１種の発色剤および少なくとも１種のフェノール不含顕色剤を含有する感熱発色層とを含む感熱記録材料、およびその生成方法に関する。
【背景技術】
【０００２】
直接熱印刷のための、感熱発色層（熱反応層）が担体基材に塗布されている感熱記録材料が公知となってから久しい。発色剤および顕色剤は、通常感熱発色層中に存在し、熱の作用を受けて互いに反応し、したがって顕色する。（ビス）フェノール顕色剤が使用されることが多い。感熱発色層に非フェノール系顕色剤を含有する感熱記録材料も公知である。これらの材料は、特に印刷された感熱記録材料がより長い時間にわたって貯蔵されるときまたは可塑剤含有材料もしくは油などの疎水性物質と接触するときにも印刷されたテキストの耐性を改善するために開発された。特に（ビス）フェノール系薬品の潜在的毒性に関する公の議論を背景に、非フェノール系顕色剤に対する関心が大きく高まってきた。この点で、目的は、フェノール系顕色剤の毒性学的に不利な点を回避することであったが、フェノール系顕色剤を用いて達成することができる技術的性能特性は、少なくとも維持され、好ましくは向上されるべきである。
【０００３】
非フェノール系顕色剤に関して先行技術により、これらの材料の幅広い化学的多様性にもかかわらず共通する構造的特徴を特定することができる。
【０００４】
したがって、１，３−二置換ウレイド部分構造（Ｙ−ＮＨ−ＣＯ−ＮＨ−Ｚ）は、多数の非フェノール系顕色剤の共通する特徴である。基ＹおよびＺの適切な選択により、顕色剤としての適性にとって重要性をもつ機能的特性を調節することができる。
【０００５】
スルホニル−尿素構造（−ＳＯ2−ＮＨ−ＣＯ−ＮＨ−）を有する顕色剤は、比較的容易に生成することができるので広く受け入れられており、それらを使用して生成される感熱記録材料は良好な塗布特性を有する。
【０００６】
ＥＰ０５２６０７２Ａ１は、次式の芳香族スルホニル−（チオ）尿素化合物
Ａｒ’−ＳＯ2−ＮＨ−Ｃ（Ｘ）−ＮＨ−Ａｒ
［式中、Ｘ＝ＯまたはＳであり、ＡｒおよびＡｒ’は芳香族基である］のクラスからの顕色剤を開示する。
【０００７】
これらの顕色剤を使用して、改善されたテキスト永続性を特徴とする感熱記録材料を生成することができる。これらの顕色剤をベースにする感熱記録材料は、感熱発色層の配合の適切な組成を用いて、市販のサーマルプリンタを使用して高印刷濃度を生じることが比較的容易であるように、良好な表面白色度と共に使用可能な熱印刷感度も有する。
【０００８】
ＷＯ００３５６７９Ａ１には、上記の式の芳香族およびヘテロ芳香族スルホニル−（チオ）尿素化合物（Ｘ＝ＳまたはＯ）ならびに／またはスルホニルグアニジン（Ｘ＝ＮＨ）［式中、Ａｒは、２価のリンカー基により更なる芳香族基に連結されている］が開示されている。実際に広く使用されているこのクラスからの非フェノール系顕色剤である４−メチル−Ｎ−（（（３−（（（４−メチルフェニル）スルホニル）オキシ）フェニル）アミノ）カルボニル）ベンゼンスルホンアミド（販売名Ｐｅｒｇａｆａｓｔ  ２０１（登録商標）、ＢＡＳＦ社）は、この顕色剤を用いて生成された感熱記録材料の塗布特性の均衡を特徴とする。特に、それらは、良好な動的応答感度および印刷の疎水性物質に対する許容できる耐性を有する。
【０００９】
２価または多価リンカー基Ａを介して連結しているスルホニル尿素単位、例えば次式のビス−スルホニル尿素化合物
（Ａｒ−ＳＯ2−ＮＨ−Ｃ（Ｏ）−ＮＨ−）2Ａ
［式中、Ａｒは、芳香族基である］も何度も顕色剤として述べられている（ＥＰ０５３５８８７Ａ１、ＥＰ０５４２５５６Ａ１、ＥＰ０６０４８３２Ｂ１、ＥＰ０６２０１２２Ａ１およびＥＰ１０４４８２４Ａ２を参照のこと）。
【００１０】
実際には、とりわけＮ，Ｎ’−（メチレンビス（４，１−フェニレンイミノカルボニル））ビス（４−メチル−ベンゼンスルホンアミド）（Ｂ−ＴＵＭ）が認められている（Ａ＝ＣＨ2、Ａｒ＝４−メチルフェニル）。
【００１１】
スルホニル尿素構造とＮ−スルホニル（チオ）ウレタン基との次式の組合せ
（Ａｒ−ＳＯ2−ＮＨ−Ｃ（Ｏ）−ＮＨ−）n（Ａｒ−ＳＯ2−ＮＨ−Ｃ（Ｏ）−Ｘ−）mＡ
［式中、Ａｒは、芳香族基であり、Ａは、（ｍ＋ｎ）価の有機リンカー基であり、Ｘ＝ＯまたはＳである］は、ＪＰＨ０６６４３３５の対象である。
【００１２】
これらの顕色剤を使用して生成された感熱記録材料について、印刷されたテキストの疎水性作用剤に対する耐性が増加することが述べられている。しかし、合成によるこれらの顕色剤へのアクセスは、特に化学的に均一な物質が望まれている場合、問題となる。
【００１３】
ＪＰＨ０９５８２４２では、次式の顕色剤
Ｒ−ＳＯ2−ＮＨ−Ｃ（Ｘ）−ＮＨ−Ｃ6Ｈ4−ＳＯ2−ＮＨ2
を得るために、スルホニル樹脂部分構造と第一級スルホンアミド基が組み合わされている。
【００１４】
ＪＰＨ１１−２６３０６７は、芳香族リンカー単位を介して連結された（チオ）尿素とスルホニル（チオ）尿素部分構造から形成された次式の顕色剤
Ａｒ1−ＮＨ−Ｃ（Ｘ）−ＮＨ−Ａ−ＳＯ2−ＮＨ−Ｃ（Ｘ）−ＮＨ−Ａｒ2
［式中、Ｘ＝ＯまたはＳであり、Ａｒ1およびＡｒ2は芳香族基である］を開示する。
【００１５】
スルホニル尿素の化学的性質をベースにし、非フェノール系顕色剤を用いて得られた感熱記録材料の共通する特徴は、それらが、いくつかの用途に関連する特性については良好な性能レベルを明示するが、他の特性については欠点を呈することである。
【００１６】
例えば、印刷の疎水性物質に対する高耐性は、部分的に極めて特定の溶融補助剤（特定の熱溶媒または特定の増感剤）を大量に使用することによってのみ効果的に改善することができる、サーマルプリンタにおける中程度の応答感度（動的感度）に関連付けられることが多い。
【００１７】
一方、いくつかの非フェノール系顕色剤を用いて、高い動的感度値を容易に達成することができるが、印刷されたテキストの耐性は中程度にすぎない。この欠点は、老化阻害剤（安定剤）の助けによって克服することができる。しかし、この克服は、記録層の配合がより複雑でよりコストがかかるという代償を伴う。
【発明の概要】
【発明が解決しようとする課題】
【００１８】
したがって、本発明の目的は、先行技術の上記の不利な点を克服することである。特に、本発明の目的は、高い動的感度（サーマルプリンタにおける高応答感度）を有し、他の用途に関連する性能特徴については、老化阻害剤または特定の溶融補助剤など利用可能性を制限し、コストがかかる感熱性機能層の特定の配合成分に依存することなく、少なくとも先行技術の非フェノール系顕色剤をベースにする記録材料のレベルを達成する、感熱記録材料を提供することである。本発明の第一の目的は、記録材料の開始温度（静電感度）に望ましくない効果をいずれも及ぼすことなく、画像の高印刷濃度を可能にする顕色剤を提供することであった。同時に、先行技術と比べて、感熱記録材料の印刷されたテキストの特に疎水性作用剤に対する耐性は良好であることが達成されるべきである。
【課題を解決するための手段】
【００１９】
この目的は、本発明において請求項９に記載の感熱記録材料における請求項１に記載の化合物の使用により対処される。
【発明を実施するための形態】
【００２０】
驚くべきことに、式（Ｉ）の特定の置換パターンの顕色剤を用いると、高い動的感度を特徴とし、同じ化合物クラスの顕色剤の他の置換パターンを用いた感熱記録材料の匹敵する配合では生成することができない感熱記録材料を得られることが判明した。本発明による顕色剤を用いて生成された記録材料は、少なくとも先行技術の耐性に相当する、印刷されたテキストの疎水性作用剤に対する良好な耐性も有する。
【００２１】
請求項１に記載の化合物は、式（Ｉ）
Ａｒ1（ＳＯ2−ＮＨ−）m−Ｙ−（−ＮＨ−Ｃ（Ｏ）−ＮＨ−ＳＯ2−Ａｒ2）n   （Ｉ）
を有し、式中、
Ａｒ1は、非置換または置換芳香族基であり、
Ａｒ2は、非置換または置換フェニル基であり、
Ｙは、（ｍ＋ｎ）個置換された少なくとも１つのベンゼン基またはナフタレン基であり、少なくとも１つのＡｒ2−ＳＯ2−ＮＨ−Ｃ（Ｏ）−ＮＨ基が少なくとも１つのＡｒ1−ＳＯ2−ＮＨ基に対してオルト位、すなわち１，２位に存在するように置換されている。
好ましくは、ｍは、１であり、ｎは、１以上である。
好ましくは、ｎは、１であり、ｍは、１または２である。
【００２２】
好ましくは、Ａｒ1は、非置換もしくは置換フェニル基または非置換もしくは置換２−ナフチル基である。
特に好ましくは、Ａｒ1は、非置換フェニルまたは一置換フェニル基である。
一置換フェニル基は、好ましくはＣ1〜Ｃ5アルキル、アルケニル、アルキニル、ベンジル、ＲＯ、ハロゲン、ホルミル、ＲＯＣ、ＲＯ2Ｃ、ＣＮ、ＮＯ2、Ｒ−ＳＯ2Ｏ、ＲＯ−ＳＯ2、Ｒ−ＮＨ−ＳＯ2、Ｒ−ＳＯ2−ＮＨ、Ｒ−ＮＨ−ＣＯ−ＮＨ、Ｒ−ＳＯ2−ＮＨ−ＣＯ−ＮＨ、Ｒ−ＮＨ−ＣＯ−ＮＨ−ＳＯ2またはＲ−ＣＯ−ＮＨ基で置換されており、式中、Ｒは、Ｃ1〜Ｃ5アルキル、アルケニル、アルキニル、フェニル、トリルまたはベンジル基、好ましくはフェニルまたはｐ−トリル基である。
好ましい置換基は、Ｃ1〜Ｃ5アルキル、ＲＯ、ハロゲン、ＲＯ2Ｃ、Ｒ−ＳＯ2Ｏ、Ｒ−ＮＨ−ＣＯ−ＮＨおよびＲ−ＳＯ2−ＮＨ−ＣＯ−ＮＨ基である。
【００２３】
好ましくは、Ａｒ2は、非置換フェニル基または一置換フェニル基、特にＣ1〜Ｃ4アルキル基で置換されているフェニル基、特に好ましくはメチル基で置換されているフェニル基である。
【００２４】
特に好ましい実施形態において、Ａｒ1は、非置換フェニル基または一置換フェニル基であり、Ａｒ2は、非置換フェニル基または一置換フェニル基であり、Ｙは、（ｍ＋ｎ）個置換されたベンゼン基である。
【００２５】
式（Ｉ）の特に好ましい化合物を以下の表１に示す。
【表１】
2020520833.tif 000002
【００２６】
本発明による式（Ｉ）の化合物は、それ自体公知の方法によって生成することができる。
以下の反応スキーム１は、本発明による式（Ｉ）の化合物の可能な合成経路を化合物Ｉ〜ＸＩＸの例（表２を参照のこと）に基づいて示す。
【化１】
2020520833.tif 000003
【００２７】
以下の反応スキーム２は、本発明による式（Ｉ）の化合物の可能な合成経路を化合物ＸＸ〜ＸＸＩＸの例（表２を参照のこと）に基づいて示す。
【化２】
2020520833.tif 000004
【００２８】
本発明による式（Ｉ）の化合物に入る化合物ＸＸ（表２を参照のこと）は、２，６−ジニトロアニリンから出発して、まず以下の反応スキーム３に従って１，２−ジアミノ−３−ニトロベンゼンに変換し（Ｖ．Ｍｉｌａｔａ、Ｊ．Ｓａｌｏｎ（ｎの上にハーチェク）、Ｏｒｇ．Ｐｒｅｐ．Ｐｒｏｃｅｅｄ．Ｉｎｔ．、３１（３）、３４７（１９９９年））、次いで記載の方法によって最終生成物に変換して生成することができる。
【化３】
2020520833.tif 000005
【００２９】
式（Ｉ）の化合物に関連して記載される好ましい実施形態は、同様にその生成方法のために適用される。
【００３０】
既述の通り、本発明はまた、担体基材と、少なくとも１種の発色剤と、フェノール不含顕色剤を含有する感熱発色層とを含む感熱記録材料であって、少なくとも１種のフェノール不含顕色剤は上記の式（Ｉ）の化合物である感熱記録材料にも関する。
【００３１】
式（Ｉ）の化合物は、好ましくは感熱層の全固形分に対して約３〜約３５重量％の量、特に好ましくは約１０〜約２５重量％の量で存在する。
【００３２】
担体基材の選択は重大ではない。しかし、紙、合成紙、および／またはプラスチックフィルムを担体基材として使用することが好ましい。
【００３３】
更なる少なくとも１つの中間層が、担体基材と感熱層の間に場合によって設けられており、この更なる少なくとも１つの中間層の目的は、感熱層のために担体基材の表面平滑性を改善し、担体基材と感熱層の間の熱障壁を保証することである。有機中空ビーズ顔料および／または焼成カオリンが、好ましくはこの中間層において使用される。少なくとも１つの保護層および／または印刷適性を助長する少なくとも１つの層も、本発明による感熱記録材料に設けることができ、これらの層を基材の前側または後側に塗布することができる。
【００３４】
発色剤の選択に関して、本発明は、どんな重要な制限も受けていない。しかし、発色剤は、好ましくはトリフェニルメタン型、フルオラン型、アザフタリド型および／またはフルオレン型の色素である。極めて特に好ましい発色剤は、フルオラン型色素である。というのは、その利用可能性および均衡のとれた塗布関連特性のために、魅力的な価格性能比を有する記録材料を提供することができるからである。
【００３５】
フルオラン型の特に好ましい色素は下記である。
３−ジエチルアミノ−６−メチル−７−アニリノフルオラン、
３−（Ｎ−エチル−Ｎ−ｐ−トルイジンアミノ）−６−メチル−７−アニリノフルオラン、
３−（Ｎ−エチル−Ｎ−イソアミルアミノ）−６−メチル−７−アニリノフルオラン、
３−ジエチルアミノ−６−メチル−７−（ｏ，ｐ−ジメチルアニリノ）フルオラン、
３−ピロリジノ−６−メチル−７−アニリノフルオラン、
３−（シクロヘキシル−Ｎ−メチルアミノ）−６−メチル−７−アニリノフルオラン、
３−ジエチルアミノ−７−（ｍ−トリフルオロメチルアニリノ）フルオラン、
３−Ｎ−ｎ−ジブチルアミノ−６−メチル−７−アニリノフルオラン、
３−ジエチルアミノ−６−メチル−７−（ｍ−メチルアニリノ）フルオラン、
３−Ｎ−ｎ−ジブチルアミノ−７−（ｏ−クロロアニリノ）フルオラン、
３−（Ｎ−エチル−Ｎ−テトラヒドロフルフリルアミン）−６−メチル−７−アニリノ−フルオラン、
３−（Ｎ−メチル−Ｎ−プロピルアミン）−６−メチル−７−アニリノフルオラン、
３−（Ｎ−エチル−Ｎ−エトキシプロピルアミン）−６−メチル−７−アニリノフルオラン、
３−（Ｎ−エチル−Ｎ−イソブチルアミン）−６−メチル−７−アニリノフルオランおよび／または
３−ジペンチルアミン−６−メチル−７−アニリノフルオラン
【００３６】
発色剤は、本発明による記録材料の望ましい塗布特性が損なわれないことを条件として、個々の物質または２種以上の発色剤のいずれかの混合物として使用することができる。
【００３７】
発色剤は、感熱層の全固形分に対して好ましくは約５〜約３０重量％の量、特に好ましくは約８〜約２０重量％の量で存在する。
【００３８】
特定の塗布特性を制御するために、式（Ｉ）に入る化合物の少なくとも２つが顕色剤として感熱層中に存在する場合有利でありうる。
【００３９】
同様に、式（Ｉ）の化合物に加えて、１種または複数の更なる（ビス）フェノール系または非フェノール系顕色剤が、感熱発色層中に存在することができる。
【００４０】
少なくとも１種の発色剤および少なくとも１種の顕色剤に加えて、熱溶媒と呼ばれることもある１種または複数の増感剤が、感熱発色層中に存在することができ、これによって、熱印刷感度をより容易に制御することができるという利点を有する。
【００４１】
融点が約９０〜約１５０℃であり、呈色錯体の形成に干渉することなく溶融状態で発色成分（発色剤および顕色剤）を溶解する結晶質が、有利な増感剤であると一般的に考えられる。
【００４２】
増感剤は、好ましくはステアロアミド、ベヘナミドもしくはパルミトアミドなどの脂肪酸アミド、Ｎ，Ｎ’−エチレン−ビス−ステアリン酸アミドもしくはＮ，Ｎ’−エチレン−ビス−オレイン酸アミドなどのエチレン−ビス−脂肪酸アミド、Ｎ−（ヒドロキシメチル）ステアロアミド、Ｎ−ヒドロキシメチルパルミトアミドもしくはヒドロキシエチルステアロアミドなどの脂肪酸アルカノールアミド、ポリエチレン蝋もしくはモンタン蝋などの蝋、テレフタル酸ジメチル、テレフタル酸ジベンジル、安息香酸ベンジル−４−ベンジルオキシ、シュウ酸ジ−（４−メチルベンジル）、シュウ酸ジ−（４−クロロベンジル）もしくはシュウ酸ジ−（４−ベンジル）などのカルボン酸エステル、１，２−ジフェノキシエタン、１，２−ジ−（３−メチルフェノキシ）エタン、２−ベンジルオキシナフタレンもしくは１，４−ジエトキシナフタレンなどの芳香族エーテル、ジフェニルスルホンなどの芳香族スルホン、および／または、ベンゼンスルホンアニリドもしくはＮ−ベンジル−４−トルエンスルホンアミドなどの芳香族スルホンアミド、あるいは４−ベンジルビフェニルなどの芳香族炭化水素である。
【００４３】
増感剤は、感熱層の全固形分に対して好ましくは約１０〜約４０重量％の量、特に好ましくは約１５〜約２５重量％の量で存在する。
【００４４】
さらに好ましい実施形態において、発色剤、フェノール不含顕色剤および増感剤だけでなく、場合によって少なくとも１種の安定剤（老化阻害剤）も感熱発色層中に存在する。
【００４５】
安定剤は、好ましくは立体障害フェノール、特に好ましくは１，１，３−トリス−（２−メチル−４−ヒドロキシ−５−シクロヘキシル−フェニル）ブタン、１，１，３−トリス−（２−メチル−４−ヒドロキシ−５−ｔｅｒｔ−ブチルフェニル）ブタン、１，１−ビス−（２−メチル−４−ヒドロキシ−５−ｔｅｒｔ−ブチル−フェニル）ブタンで構成されている。
【００４６】
一般式（ＩＩ）の尿素−ウレタン化合物（商品ＵＵ）、または４−ベンジルオキシ−４’−（２−メチルグリシジルオキシ）−ジフェニルスルホン（販売名ＮＴＺ−９５（登録商標）、日本曹達株式会社）もしくは一般式（ＩＩＩ）のオリゴマーエーテル（販売名Ｄ９０（登録商標）、日本曹達株式会社）などの４，４’−ジヒドロキシジフェニルスルホン誘導エーテルは、本発明による記録材料中の安定剤としても使用可能である。
【化４】
2020520833.tif 000006
一般式（ＩＩ）の尿素ウレタン化合物が特に好ましい。
【００４７】
安定剤は、好ましくは式（Ｉ）の化合物の少なくとも１種のフェノール不含顕色剤１重量部に対して０．２〜０．５重量部の量で存在する。
【００４８】
さらに好ましい実施形態において、少なくとも１種の結合剤が、感熱発色層中に存在する。この結合剤は、好ましくは水溶性デンプン、デンプン誘導体、デンプンをベースにしたＥｃｏＳｐｈｅｒｅ（登録商標）型バイオラテックス、メチルセルロース、ヒドロキシエチルセルロース、カルボキシメチルセルロース、部分または完全ケン化ポリビニルアルコール、化学修飾ポリビニルアルコールまたはスチレン−無水マレイン酸コポリマー、スチレン−ブタジエンコポリマー、アクリルアミド−（メタ）アクリラートコポリマー、アクリルアミド−アクリラート−メタクリラートターポリマー、ポリアクリラート、ポリ（メタ）アクリル酸エステル、アクリラート−ブタジエンコポリマー、ポリ酢酸ビニルおよび／またはアクリロニトリル−ブタジエンコポリマーで構成されている。
【００４９】
さらに好ましい実施形態において、少なくとも１種の分離剤（剥離剤）または滑剤が、感熱発色層中に存在する。これらの作用剤は、好ましくはステアリン酸亜鉛もしくはステアリン酸カルシウム、またはさらにベヘン酸塩などの脂肪酸金属塩、合成蝋、例えばステアリン酸アミドやベヘン酸アミドなどの脂肪酸アミドの形をした合成蝋、ステアリン酸メチロールアミドなどの脂肪酸アルカノールアミド、様々な融点を有するパラフィン蝋、様々な分子量を有するエステル蝋、様々な硬度のエチレン蝋、プロピレン蝋および／またはカルナウバ蝋もしくはモンタン蝋などの天然蝋である。
【００５０】
分離剤は、感熱層の全固形分に対して好ましくは約１〜約１０重量％の量、特に好ましくは約３〜約６重量％の量で存在する。
【００５１】
さらに好ましい実施形態において、感熱発色層は顔料を含有する。これらを使用すると、とりわけ、熱印刷プロセスで生み出された化学的溶融物をこれらの表面に固定することができるという利点がある。感熱発色層の表面白色度および不透明度ならびに通常の印刷インキを用いた場合のその印刷適性も、顔料を介して制御することができる。最後に、顔料は、例えば比較的コストがかかる色付け機能薬品に対して「エキステンダー機能」を有する。
【００５２】
特に適当な顔料は、合成および天然起源または両方の無機顔料、好ましくは粘土、沈降または天然炭酸カルシウム、酸化アルミニウム、水酸化アルミニウム、シリカ、沈降および焼成シリカ（例えば、Ａｅｒｏｄｉｓｐ（登録商標）型）、珪藻土、炭酸マグネシウム、タルクであり、さらにスチレン／アクリラートコポリマー壁または尿素／ホルムアルデヒド縮合ポリマーを有する中空顔料などの有機顔料である。これらは、単独でまたはいずれかの混合物として使用することができる。
【００５３】
顔料は、感熱層の全固形分に対して好ましくは約２０〜約５０重量％の量、特に好ましくは約３０〜約４０重量％の量で存在する。
【００５４】
本発明による感熱記録材料の表面白色度を制御するために、蛍光増白剤を感熱発色層に組み込むことができる。これらは、好ましくはスチルベンである。
【００５５】
いくつかの被覆特性を改善するためには、個々の例において、更なる構成要素、特に増粘剤および／または界面活性剤などのレオロジー助剤を本発明による感熱記録材料の記載の構成要素に加えることが好ましい。
【００５６】
（乾燥）感熱層の面積塗布重量は、好ましくは約１〜約１０ｇ／ｍ2、好ましくは約３〜約６ｇ／ｍ2である。
【００５７】
特に好ましい実施形態において、感熱記録材料は、請求項９に記載のものであり、フルオラン型色素が発色剤として使用され、脂肪酸アミド、芳香族スルホンおよび／または芳香族エーテルを含む群から選択される増感手段がさらに存在する。この好ましい実施形態において、請求項１に記載のフェノール不含顕色剤が１重量部の発色剤に対して約１．５〜約４重量部存在することも有利である。
【００５８】
式（Ｉ）の化合物に関連して記載される好ましい実施形態は、本発明による感熱記録材料のためにも適用可能である。
【００５９】
本発明による感熱記録材料は、公知の生成方法によって得ることができる。
【００６０】
しかし、感熱発色層の出発物質を含有する水性懸濁液を担体基材に塗布し、乾燥する方法によって、本発明による記録材料を得ることが好ましく、塗布される水性懸濁液は、約２０〜約７５重量％、好ましくは約３０〜約５０重量％の固形分を有するものであり、カーテン被覆プロセスを使用して、少なくとも約４００ｍ／分の被覆設備の作業速度で塗布され、乾燥される。
この方法は、特に経済的側面から有利である。
【００６１】
固形分値が約２０重量％に達しない場合、大量の水を穏やかな乾燥によって短時間のうちに被覆から除去しなければならず、被覆速度に不利な効果を及ぼすので、費用効率が損なわれる。一方、固形分値が７５重量％を超える場合、被覆プロセス時における被覆色カーテンの安定性を保証するために、技術的努力を増加させることになるだけである。
【００６２】
カーテン被覆プロセスにおいて、被覆分散液の自由落下カーテンが形成される。自由落下により、薄膜（カーテン）の形で存在する被膜分散液を基材に「注ぎ」、被膜分散液を基材に塗布する。ＤＥ１０１９６０５２Ｔ１は、カーテン被覆プロセスの、情報記録材料の生成における使用、とりわけ感熱記録材料の生成における使用についても開示し、複数の被覆分散フィルムを含むカーテンを基材に（最高速度２００ｍ／分）塗布することによって、多層記録層が生成される。
【００６３】
被覆設備の作業速度の設定を少なくとも４００ｍ／分にすると、経済的利点と技術的利点の両方がある。作業速度は、好ましくは少なくとも約７５０ｍ／分、特に好ましくは少なくとも約１０００ｍ／分、極めて特に好ましくは少なくとも約１５００ｍ／分である。特に、最後に述べた速度でさえ、得られた感熱記録材料は全く損なわれず、これらの高速度でさえ、作業は最適であることは驚くべきことであった。
【００６４】
本発明による方法の好ましい実施形態において、塗布される脱気水性懸濁液の粘度は、約１５０〜約８００ｍＰａ（ブルックフィールド、１００ｒｐｍ、２０℃）である。約１５０ｍＰａの値に達しないまたは約８００ｍＰａの値を超える場合、被覆装置における被覆化合物の取扱いが欠陥のあるものとなる。塗布される脱気水性懸濁液の粘度は、特に好ましくは約２００〜約５００ｍＰａである。
【００６５】
好ましい実施形態において、方法を最適化するために、塗布される水性懸濁液の表面張力を（Ｄｕ  Ｎｏｕｙ（ｕの上にウムラウト）、ＤＩＮ  ５３９１４に準拠する静電リング法に従って測定して）、約２５〜約６０ｍＮ／ｍ、好ましくは約３５〜約５０ｍＮ／ｍに設定することができる。
【００６６】
感熱発色層は、オンラインで、または別個の被覆プロセスにおいてオフラインで形成することができる。これは、続いて塗布された層または中間層のいずれについても当てはまる。
【００６７】
乾燥感熱発色層を平滑化処置にかける場合有利である。ここで、ＩＳＯ  ５６２７：１９９５−０３に従って測定されるベック平滑度が、約１００〜約１０００秒、好ましくは約２５０〜約６００秒に設定されている場合有利である。
【００６８】
ＩＳＯ  ８７９１−４：２００８−０５に準拠する表面粗さ（ＰＰＳ）は、好ましくは約０．５０〜約２．５０μｍの範囲、特に好ましくは１．００〜２．００μｍの範囲にある。
【００６９】
式（Ｉ）の化合物に関連して記載される好ましい実施形態は、本発明による感熱記録材料を生成する本発明による方法のためにも適用可能である。
【００７０】
本発明はまた、上記の方法によって得られうる感熱記録材料にも関する。
【００７１】
上記の方法は、経済的側面から有利であり、被覆設備において、１５００ｍ／分より高速でさえ方法生成物、すなわち本発明による感熱記録材料に支障をきたすことはなく、急速に行うことが可能になる。方法はオンラインおよびオフラインで行うことができ、これによって、望ましい柔軟性が得られる。
【００７２】
本発明による感熱記録材料は、好ましくはフェノールを含まず、ＰＯＳ（販売時点情報管理）、ラベル表示および／またはチケット発行用途に好都合である。直接熱印刷で印刷することができ、記録された画像の高耐性を、印刷されたテキストを、可塑剤、接着剤、脂肪性または油性物質などの疎水性物質と接触させる場合に必要とする、駐車用チケット、旅行用チケット、入場カード、ならびにくじおよび賭け用紙片などの生成にも適している。
【００７３】
驚くべきことに、本発明による式（Ｉ）の顕色剤を用いて、印刷されたテキストの疎水性物質に対する優れた耐性を特徴とし、印刷画像の良好な品質（印刷画像の高い光学濃度）を達成できる感熱記録材料を得ることが可能であることが判明した。
【００７４】
先行技術による非フェノール系顕色剤、具体的にはスルホニル尿素（Ｐｅｒｇａｆａｓｔ  ２０１（登録商標）（ＰＦ２０１）、ＢＡＳＦ）および尿素誘導体Ｚ（Ｎ−（２−（３−フェニルウレイド）フェニル）ベンゼンスルホンアミド）を、比較顕色剤として使用した。
非限定的な実施例に基づいて、以下に本発明を詳細に説明する。
【実施例】
【００７５】
本発明による式（Ｉ）の化合物の生成
化合物Ｉ〜ＸＸＩＶ（表２）を以下の通り生成した。
【００７６】
ステップＡ１−スルホンアミドの調製
対応するスルホニルクロリド（１０ｍｍｏｌ）のジクロロメタン（７５ｍＬ）溶液を、撹拌下に０℃で芳香族ジアミン（２０ｍｍｏｌ）およびピリジン（２０ｍｍｏｌ）のジクロロメタン（１２５ｍＬ）溶液に滴下して加えた。反応液を室温で１６時間撹拌した後、水（１００ｍＬ）を添加した。有機相を分離し、５％水酸化ナトリウム水溶液（２５０ｍＬ）と混合した。水性相をジクロロメタン（１００ｍＬ）で洗浄し、２５％塩酸を添加することによって中性にした。ジクロロメタン（１００ｍＬ）で複数回抽出した後、有機相を合わせて、水（２００ｍＬ）で洗浄し、硫酸マグネシウムで脱水した。溶媒を真空中で除去した後、スルホンアミドが固体として残った。スルホンアミドをさらに精製することなく、ステップＢまたはＣで使用した。
水を反応液に添加した後、単純な濾過を行うことは、生成物ＩＸおよびＸＩＩの前駆体化合物を回収するのに十分であった。
【００７７】
ステップＡ２−スルホンアミドの調製
対応するスルホニルクロリド（８０ｍｍｏｌ）のジクロロエタン（１５０ｍＬ）溶液を、撹拌下に室温で芳香族アミン（８０ｍｍｏｌ）および炭酸カリウム（２４０ｍｍｏｌ）のジクロロエタン（５００ｍＬ）溶液に滴下して加えた。反応混合物を６時間還流し、次いで酢酸エチル（３００ｍＬ）および水（３００ｍＬ）を添加した。２５％塩酸を添加することによって、水性相を酸性にした。分液した。水性相を酢酸エチル（２００ｍＬ）で複数回抽出した後、有機相を合わせて、水（２００ｍＬ）で洗浄し、硫酸マグネシウムで脱水した。溶媒を真空中で除去した後、スルホンアミドが固体として残った。スルホンアミドをさらに精製することなく、ステップＢで使用した。
【００７８】
ステップＡ３−スルホンアミドの調製
芳香族アミン（２５．０ｍｍｏｌ）の無水ＴＨＦ（３５ｍＬ）溶液を、保護ガス気体中、撹拌下に０℃で水素化ナトリウム（油中６０％）（２７．５ｍｍｏｌ）の無水ＴＨＦ（２５ｍＬ）溶液に滴下して加えた。室温で２時間撹拌した後、対応するスルホニルクロリド（２５．０ｍｍｏｌ）の無水ＴＨＦ（１０ｍＬ）溶液を撹拌下に０℃で滴下して加えた。反応液を室温で４０時間撹拌し、次いで水（１００ｍＬ）およびジクロロメタン（１００ｍＬ）を添加した。５％水酸化ナトリウム水溶液を添加することによって、水性相をアルカリ性にした。分液した。水性相をジクロロメタン（１００ｍＬ）で洗浄し、２５％塩酸を添加することによって中性にした。ジクロロメタン（１００ｍＬ）で複数回抽出した後、有機相を合わせて、水（２００ｍＬ）で洗浄し、硫酸マグネシウムで脱水した。溶媒を真空中で除去した後、スルホンアミドが固体として残った。スルホンアミドをさらに精製することなく、ステップＢで使用した。
【００７９】
ステップＢ−ニトロ基を還元して、第一級アミンを生成
ステップＡ１からの生成物（２８．０ｍｍｏｌ）またはステップＡ２／Ａ３からの生成物（５６．０ｍｍｏｌ）ＳｎＣｌ2・２Ｈ2Ｏを、撹拌下に室温でステップＡ１／Ａ２／Ａ３からの生成物（８．０ｍｍｏｌ）の酢酸エチル（１４０ｍＬ）溶液に添加した。反応液を還流した。反応過程を薄膜クロマトグラフィー（溶離液：シクロヘキサン／酢酸エチル１：１）によってモニターした。反応が完了すると（約２〜３時間）、混合物を酢酸エチル（７０ｍＬ）で希釈し、１０％炭酸カリウム水溶液を添加し、混合物を室温で３０分間撹拌した。Ｓｎ化合物を濾過して取り除き、濾液中の水性相と有機相を分液した。有機相を飽和塩化ナトリウム水溶液（２回×１００ｍｌ）で洗浄し、硫酸マグネシウムで脱水した。溶媒を真空中で除去した後、ジクロロメタンおよび数滴のｎ−ヘキサンから再結晶することによって精製を行った。
【００８０】
ステップＣ１−スルホニル尿素化合物の調製
対応するスルホニルイソシアネート（７．０ｍｍｏｌ）のジクロロメタン（１０ｍＬ）溶液を、撹拌下に室温でステップＡ１による生成物（７．０ｍｍｏｌ）のジクロロメタン（２０〜４０ｍＬ）（不十分な溶解度の場合はさらにアセトニトリル（１０ｍＬ））溶液に滴下して加えた。反応を薄膜クロマトグラフィー（溶離液：シクロヘキサン／酢酸エチル１：１）によってモニターした。反応が完了すると、沈降生成物を濾別し、ジクロロメタンで洗浄し、真空中で乾燥した。場合によっては、反応液を真空中で濃縮し、ｎ−ヘキサンを数滴添加することによって結晶化が開始した。
【００８１】
ステップＣ２−スルホニル尿素化合物の調製
対応するスルホニルイソシアネート（８．４ｍｍｏｌ）のＤＭＦ（５〜１０ｍＬ）溶液を、撹拌下にステップＢによる生成物（４．２ｍｍｏｌ）のＤＭＦ（１６ｍＬ）溶液に滴下して加えた。反応を薄膜クロマトグラフィー（溶離液：シクロヘキサン／酢酸エチル１：１）によってモニターした。反応が完了すると、反応液を酢酸エチル（１００ｍＬ）で希釈し、飽和塩化ナトリウム水溶液（２回×１００ｍＬ）で洗浄し、最後に水（１００ｍＬ）で洗浄した。溶媒を真空中で除去した後、ジクロロメタンおよび数滴のｎ−ヘキサンから再結晶することによって精製を行った。
【００８２】
化合物Ｉ〜ＸＩＸ（表２）は、対応するフェニレンジアミンから出発して、ステップＡ１およびＣ１の一般条項に従って調製した。
【００８３】
化合物ＸＸ（表２）は、２，６−ジニトロアニリンから出発して、まず１，２−ジアミノ−３−ニトロベンゼンに変換し（反応スキーム３、Ｖ．Ｍｉｌａｔａ、Ｊ．Ｓａｌｏｎ（ｎの上にハーチェク）、Ｏｒｇ．Ｐｒｅｐ．Ｐｒｏｃｅｅｄ．Ｉｎｔ．、３１（３）、３４７（１９９９年））、最後にステップＡ１、ＢおよびＣ２の一般条項に従って最終生成物に変換して生成した。
【００８４】
化合物ＸＸＩ〜ＸＸＩＶ（表２）は、２，４−ジニトロアニリン（ＸＸＩおよびＸＸＩＩ）、４−ニトロ−１，２−フェニレンジアミン（ＸＸＩＩＩ）、および２，６−ジニトロアニリン（ＸＸＩＶ）から出発して、ステップＡ１（ＸＸＩＩＩ）、Ａ２（ＸＸＩおよびＸＸＩＩ）、Ａ３（ＸＸＩＶ）、Ｂ（ＸＸＩ〜ＸＸＩＶ）およびＣ２（ＸＸＩ〜ＸＸＩＶ）の一般条項に従って調製した。
【００８５】
出発化合物は市販品である。
【表２】
2020520833.tif 000007
*:比較例
【００８６】
分析データ：
Ｉ、Ｃ19Ｈ17Ｎ3Ｏ5Ｓ2、Ｍ＝４３１．５、Ｎ−（（２−（フェニルスルホンアミド）フェニル）カルバモイル）ベンゼンスルホンアミド
MS (ESI): m/z (%) = 430.0 (14) [M-H]-, 273.0 (100) [M-H-Ar2SO2NH2]-, 247.0 (15) [M-H-Ar2SO2NCO]-.
*H-NMR (500 MHz, DMSO-d6): δ (ppm) = 11.66 (1H, s), 9.60 (1H, s), 8.57 (1H, s), 8.01-7.99 (2H, m), 7.86 (1H, dd, J = 8.3, 1.3 Hz), 7.73-7.69 (1H, m), 7.68-7.62 (5H, m), 7.56-7.53 (2H, m), 7.16-7.12 (1H, m), 6.80 (1H, ddd, J = 8.9, 7.9, 1.4 Hz), 6.39 (1H, dd, J = 7.9, 1.1 Hz).
13C-NMR (126 MHz, DMSO-d6): δ (ppm) = 149.12 (NHCONH), 139.78, 138.87, 135.56, 133.39, 133.01, 129.10, 129.03, 127.82, 127.27, 127.23, 127.08, 125.28, 123.15, 120.75.
【００８７】
ＩＩ、Ｃ20Ｈ19Ｎ3Ｏ5Ｓ2、Ｍ＝４４５．５、Ｎ−（（２−（フェニルスルホンアミド）フェニル）カルバモイル）トシルアミド
MS (ESI): m/z (%) = 444.0 (23) [M-H]-, 273.0 (100) [M-H-Ar2SO2NH2]-, 247.1 (21) [M-H-Ar2SO2NCO]-.
1H-NMR (500 MHz, DMSO-d6): δ (ppm) = 11.58 (1H, s), 9.60 (1H, s), 8.56 (1H, s), 7.89-7.86 (3H, m), 7.68-7.66 (2H, m), 7.65-7.62 (1H, m), 7.56-7.53 (2H, m), 7.44- 7.43 (2H, m), 7.16-7.12 (1H, m), 6.79 (1H, ddd, J = 8.9, 7.7, 1.4 Hz), 6.38 (1H, dd, J = 7.9, 1.3 Hz), 2.39 (3H, s).
13C-NMR (126 MHz, DMSO-d6): δ (ppm) = 149.16 (NHCONH), 143.93, 138.90, 136.95, 135.67, 133.02, 129.52, 129.05, 127.84, 127.37, 127.25, 127.10, 125.22, 123.08, 120.68, 21.00 (CH3).
【００８８】
ＩＩＩ、Ｃ20Ｈ19Ｎ3Ｏ5Ｓ2、Ｍ＝４４５．５、Ｎ−（２−（３−（フェニルスルホニル）ウレイド）フェニル）トシルアミド
MS (ESI): m/z (%) = 444.0 (17) [M-H]-, 287.0 (100) [M-H-Ar2SO2NH2]-, 261.1 (7) [M-H-Ar2SO2NCO]-.
1H-NMR (500 MHz, DMSO-d6): δ (ppm) = 11.66 (1H, s), 9.51 (1H, s), 8.56 (1H, s), 8.01-7.99 (2H, m), 7.85 (1H, dd, J = 8.3, 1.4 Hz), 7.73-7.69 (1H, m), 7.66-7.63 (2H, m), 7.56-7.54 (2H, m), 7.35-7.33 (2H, m), 7.15-7.11 (1H, m), 6.81 (1H, ddd, 9.1, 7.7, 1.4 Hz), 6.43-6.42 (1H, m), 2.36 (3H, s).
13C-NMR (126 MHz, DMSO-d6): δ (ppm) = 149.13 (NHCONH), 143.34, 139.80, 136.07, 135.48, 133.38, 129.47, 129.09, 127.70, 127.26, 127.18, 127.13, 125.43, 123.16, 120.73, 20.96 (CH3).
【００８９】
ＩＶ、Ｃ21Ｈ21Ｎ3Ｏ5Ｓ2、Ｍ＝４５９．５、Ｎ−（（２−（トシルアミド）フェニル）カルバモイル）トシルアミド
MS (ESI): m/z (%) = 458.1 (26) [M-H]-, 287.0 (100) [M-H-Ar2SO2NH2]-, 261.0 (10) [M-H-Ar2SO2NCO]-.
1H-NMR (500 MHz, DMS0-d6): δ (ppm) = 11.58 (1H, s), 9.50 (1H, s), 8.55 (1H, s), 7.89-7.85 (3H, m), 7.56-7.54 (2H, m), 7.44-7.42 (2H, m), 7.35-7.33 (2H, m), 7.15-7.11 (1H, m), 6.80 (1H, ddd, J = 9.0, 7.7, 1.4 Hz), 6.43-6.41 (1H, m), 2.39 (3H, s), 2.36 (3H, s).
13C-NMR (126 MHz, DMSO-d6): δ (ppm) = 149.15 (NHCONH), 143.88, 143.33, 136.98, 136.11, 135.59, 129.49, 129.45, 127.70, 127.36, 127.19, 127.15, 125.37, 123.07, 120.65, 20.98 (CH3), 20.94 (CH3).
【００９０】
Ｖ、Ｃ24Ｈ27Ｎ3Ｏ5Ｓ2、Ｍ＝５０１．６、Ｎ−（２−（３−トシルウレイド）フェニル）−４−ｔｅｒｔ−ブチルベンゼンスルホンアミド
MS (ESI): m/z (%) = 500.1 (56) [M-H]-, 329.1 (100) [M-H-Ar2SO2NH2]-.
1H-NMR (500 MHz, DMSO-d6): δ (ppm) = 11.57 (1H, s), 9.53 (1H, s), 8.55 (1H, s), 7.89-7.87 (2H, m), 7.86-7.85 (1H, m), 7.62-7.60 (2H, m), 7.58-7.56 (2H, m), 7.44-7.42 (2H, m), 7.14-7.11 (1H, m), 6.80-6.77 (1H, m), 6.42-6.40 (1H, m), 2.39 (3H, s), 1.28 (9H, s).
13C-NMR (126 MHz, DMSO-d6): δ (ppm) = 156.10, 149.16 (NHCONH), 143.89, 136.96, 136.15, 135.48, 129.51, 127.66, 127.35, 127.03, 127.03, 125.84, 125.44, 123.05, 120.68, 34.83 (C(CH3)3), 30.71 (C(CH3)3), 21.00 (CH3).
【００９１】
ＶＩ、Ｃ23Ｈ25Ｎ3Ｏ5Ｓ2、Ｍ＝４８７．６、Ｎ−（２−（３−トシルウレイド）フェニル）−２，４，６−トリメチルベンゼンスルホンアミド
MS (ESI): m/z (%) = 486.1 (37) [M-H]-, 315.1 (100) [M-H-Ar2SO2NH2]-, 289.1 (18) [M-H-Ar2SO2NCO]-.
1H-NMR (500 MHz, DMSO-d6): δ (ppm) = 11.66 (1H, s), 9.26 (1H, s), 8.62 (1H, s), 7.89-7.87 (3H, m), 7.44-7.42 (2H, m), 7.18-7.14 (1H, m), 6.98 (2H, s), 6.77 (1H, ddd, J = 9.0, 7.7, 1.4 Hz), 6.26 (1H, dd, J = 7.9, 1.3 Hz), 2.39 (3H, s), 2.29 (6H, s), 2.24 (3H, s).
13C-NMR (126 MHz, DMSO-d6): δ (ppm) = 149.26 (NHCONH), 143.87, 142.02, 138.89, 136.96, 136.06, 133.30, 131.54, 129.48, 127.99, 127.83, 127.35, 124.76, 123.09, 120.55, 22.42 (2xCH3), 20.98 (CH3), 20.36 (CH3).
【００９２】
ＶＩＩ、Ｃ21Ｈ21Ｎ3Ｏ6Ｓ2、Ｍ＝４７５．５、Ｎ−（２−（３−トシルウレイド）フェニル）−４−メトキシベンゼンスルホンアミド
MS (ESI): m/z (%) = 474.1 (28) [M-H]-, 303.0 (100) [M-H-Ar2SO2NH2]-.
1H-NMR (500 MHz, DMSO-d6): δ (ppm) = 11.59 (1H, s), 9.42 (1H, s), 8.56 (1H, s), 7.89-7.85 (3H, m), 7.60-7.58 (2H, m), 7.44-7.42 (2H, m), 7.15-7.12 (1H, m), 7.07-7.05 (2H, m), 6.82 (1H, ddd, J = 8.7, 7.7, 1.0 Hz), 6.43 (1H, dd, J = 7.9, 1.1 Hz), 3.82 (3H, s), 2.39 (3H, s).
13C-NMR (126 MHz, DMSO-d6): δ (ppm) = 162.53, 149.16 (NHCONH), 143.90, 136.96, 135.64, 130.47, 129.50, 129.34, 127.70, 127.34, 127.30, 125.46, 123.07, 120.58, 114.17, 55.60 (OCH3), 20.99 (CH3).
【００９３】
ＶＩＩＩ、Ｃ20Ｈ18ＣｌＮ3Ｏ5Ｓ2、Ｍ＝４８０．０、Ｎ−（２−（３−トシルウレイド）フェニル）−４−クロロベンゼンスルホンアミド
MS (ESI): m/z (%) = 478.0 (29) [M-H]-, 307.0 (100) [M-H-Ar2SO2NH2]-, 281.0 (49)[M-H-Ar2SO2NCO]-.
1H-NMR (500 MHz, DMSO-d6): δ (ppm) = 11.56 (1H, s), 9.70 (1H, s), 8.55 (1H, s), 7.88-7.86 (3H, m), 7.67-7.65 (2H, m), 7.63-7.61 (2H, m), 7.44-7.43 (2H, m), 7.18-7.14 (1H, m), 6.84 (1H, ddd, J = 9.2, 7.9, 1.4 Hz), 6.44 (1H, dd, J = 7.9, 1.5 Hz), 2.39 (3H, s).
13C-NMR (126 MHz, DMSO-6): δ (ppm) = 149.13 (NHCONH), 143.93, 137.95, 137.77, 136.91, 135.65, 129.52, 129.24, 129.04, 128.00, 127.35, 127.28, 124.97, 123.26, 120.79, 21.00 (CH3).
【００９４】
ＩＸ、Ｃ22Ｈ22Ｎ4Ｏ6Ｓ2、Ｍ＝５０２．６、Ｎ−（４−（Ｎ−（２−（３−トシルウレイド）フェニル）スルファモイル）フェニル）アセトアミド
MS (ESI): m/z (%) = 501.0 (32) [M-H]-, 330.1 (100) [M-H-Ar2SO2NH2]-.
1H-NMR (500 MHz, DMSO-d6): δ (ppm) = 11.60 (1H, s), 10.30 (1H, s), 9.45 (1H, s), 8.56 (1H, s), 7.89-7.86 (3H, m), 7.75-7.73 (2H, m), 7.60-7.57 (2H, m), 7.44- 7.42 (2H, m), 7.15-7.12 (1H, m), 6.81 (1H, ddd, J = 9.0, 7.6, 1.4 Hz), 6.40 (1H, dd, J = 7.9, 1.4 Hz), 2.39 (3H, s), 2.09 (3H, s).
13C-NMR (126 MHz, DMSO-d6): δ (ppm) = 169.01 (NHCOCH3), 149.19 (NHCONH), 143.91, 143.26, 136.96, 135.69, 132.36, 129.51, 128.38, 127.73, 127.35, 127.28, 125.41, 123.08, 120.59, 118.34, 24.11 (CH3), 21.00 (CH3).
【００９５】
Ｘ、Ｃ20Ｈ18Ｎ4Ｏ7Ｓ2、Ｍ＝４９０．５、Ｎ−（（２−（４−ニトロフェニルスルホンアミド）フェニル）カルバモイル）トシルアミド
MS (ESI): m/z (%) = 489.0 (31) [M-H]-, 318.0 (55) [M-H-Ar2SO2NH2]-, 292.0 (100)[M-H-Ar2SO2NCO]-.
1H-NMR (500 MHz, DMSO-d6): δ (ppm) = 11.51 (1H, s), 9.97 (1H, s), 8.52 (1H, s), 8.40-8.37 (2H, m), 7.92-7.89 (2H, m), 7.87-7.84 (3H, m), 7.44-7.42 (2H, m), 7.20-7.16 (1H, m), 6.85 (1H, ddd, J = 8.9, 7.7, 1.4 Hz), 6.48 (1H, dd, J = 7.9, 1.3 Hz), 2.39 (3H,s).
13C-NMR (126 MHz, DMSO-d6): δ (ppm) = 149.88, 149.13 (NHCONH), 144.49, 143.96, 136.89, 135.60, 129.52, 128.67, 128.24, 127.50, 127.33, 124.71, 124.47, 123.50, 121.08, 21.00 (CH3).
【００９６】
ＸＩ、Ｃ22Ｈ21Ｎ3Ｏ7Ｓ2、Ｍ＝５０３．５、メチル２−（Ｎ−（２−（３−トシルウレイド）フェニル）スルファモイル）ベンゾエート
MS (ESI): m/z (%) = 5O2.1 (32) [M-H]-, 331.0 (100) [M-H-Ar2SO2NH2]-, 305.0 (31) [M-H-Ar2SO2NCO]-.
1H-NMR (500 MHz, DMSO-d6): δ (ppm) = 11.53 (1H, s), 9.21 (1H, s), 8.53 (1H, s), 7.88-7.86 (2H, m), 7.82-7.81 (1H, m), 7.73-7.72 (2H, m), 7.67-7.65 (2H, m), 7.44-7.42 (2H, m), 7.18-7.15 (1H, m), 6.85-6.82 (1H, m), 6.55-6.54 (1H, m), 3.72 (3H, s), 2.39 (3H, s).
13C-NMR (126 MHz, DMSO-6): δ (ppm) = 167.35 (COOCH3), 149.29 (NHCONH), 143.90, 136.93, 136.57, 135.40, 133.17, 132.03, 130.94, 129.49, 129.13, 129.11, 127.91, 127.42, 127.34, 125.39, 123.43, 121.21, 52.87 (COOCH3), 20.98 (CH3).
【００９７】
ＸＩＩ、Ｃ24Ｈ21Ｎ3Ｏ5Ｓ2、Ｍ＝４９５．６、Ｎ−（２−（３−トシルウレイド）フェニル）ナフタレン−２−スルホンアミド
MS (ESI): m/z (%) = 494.1 (24) [M-H]-, 323.0 (100) [M-H-Ar2SO2NH2]-, 297.0 (26) [M-H-Ar2SO2NCO]-.
1H-NMR (500 MHz, DMSO-d6): δ (ppm) = 11.64 (1H, s), 9.73 (1H, s), 8.64 (1H, s), 8.27 (1H, d, J = 1.4 Hz), 8.13-8.12 (1H, m), 8.08-8.06 (1H, m), 8.04-8.02 (1H, m), 7.90-7.89 (2H, m), 7.89 (1H, dd, J = 8.3, 1.3 Hz), 7.80 (1H, dd, J = 8.7, 1.9 Hz), 7.71-7.68 (1H, m), 7.65-7.61 (1H, m), 7.45-7.43 (2H, m), 7.12-7.09 (1H, m), 6.71-6.68 (1H, m), 6.37-6.36 (1H, m), 2.39 (3H, s).
13C-NMR (126 MHz, DMSO-6): δ (ppm) = 149.19 (NHCONH), 143.92, 136.96, 135.95, 135.74, 134.29, 131.43, 129.52, 129.26, 129.19, 128.94, 128.34, 127.84, 127.81, 127.61, 127.37, 127.22, 125.21, 123.09, 122.45, 120.67, 20.99 (CH3).
【００９８】
ＸＩＩＩ、Ｃ21Ｈ21Ｎ3Ｏ5Ｓ2、Ｍ＝４５９．５、Ｎ−（（２−（ベンジルスルホンアミド）フェニル）カルバモイル）トシルアミド
MS (ESI): m/z (%) = 458.0 (16) [M-H]-, 287.0 (100) [M-H-Ar2SO2NH2]-, 261.1 (13) [M-H-Ar2SO2NCO]-.
1H-NMR (500 MHz, DMSO-d6): δ (ppm) = 11.47 (1H, s), 9.25 (1H, s), 8.40 (1H, s), 7.86-7.84 (2H, m), 7.81 (1H, dd, J = 8.4, 1.4 Hz), 7.39-7.34 (8H, m), 7.25- 7.21 (1H, m), 7.10 (1H, ddd, J = 9.0, 7.6, 1.5 Hz), 4.40 (2H, s), 2.36 (3H, s).
13C-NMR (126 MHz, DMSO-6): δ (ppm) = 149.33 (NHCONH), 143.87, 136.93, 134.39, 130.83, 129.46, 129.06, 128.33, 128.16, 127.52, 127.33, 127.33, 126.50, 123.97, 121.66, 57.25 (CH2), 20.98 (CH3).
【００９９】
ＸＩＶ、Ｃ20Ｈ19Ｎ3Ｏ5Ｓ2、Ｍ＝４４５．５、Ｎ−（（３−（フェニルスルホンアミド）フェニル）カルバモイル）トシルアミド
MS (ESI): m/z (%) = 444.0 (100) [M-H]-, 272.9 (7) [M-H-Ar2SO2NH2]-.
1H-NMR (500 MHz, DMSO-d6): δ (ppm) = 10.55 (1H, s), 10.24 (1H, s), 8.83 (1H, s), 7.86-7.84 (2H, m), 7.76-7.74 (2H, m), 7.59-7.56 (1H, m), 7.52-7.49 (2H, m), 7.43-7.41 (2H, m), 7.24-7.23 (1H, m), 7.10-7.07 (1H, m), 6.97 (1H, ddd, J = 8.2, 2.0, 0.8 Hz), 6.76 (1H, ddd, J = 8.1, 2.1, 0.9 Hz), 2.39 (3H, s).
13C-NMR (126 MHz, DMSO-d6): δ (ppm) = 149.05 (NHCONH), 143.80, 139.46, 138.70, 138.19, 137.01, 132.79, 129.39, 129.39, 129.11, 127.45, 126.58, 114.42, 114.34, 110.23, 20.98 (CH3).
【０１００】
ＸＶ、Ｃ20Ｈ19Ｎ3Ｏ5Ｓ2、Ｍ＝４４５．５、Ｎ−（３−（３−（フェニルスルホニル）ウレイド）フェニル）トシルアミド
MS (ESI): m/z (%) = 444.0 (100) [M-H]-, 287.0 (6) [M-H-Ar2SO2NH2]-.
1H-NMR (500 MHz, DMSO-d6): δ (ppm) = 10.44 (1H, s), 10.17 (1H, s), 8.87 (1H, s), 7.99-7.97 (2H, m), 7.71-7.68 (1H, m), 7.64-7.61 (4H, m), 7.30-7.28 (2H, m), 7.24-7.23 (1H, m), 7.10-7.07 (1H, m), 6.97 (1H, ddd, J = 8.2, 2.1, 0.9 Hz), 6.76 (1H, ddd, J = 8.1, 2.1, 0.9 Hz), 2.30 (3H, s).
13C-NMR (126 MHz, DMSO-d6): δ (ppm) = 149.03 (NHCONH), 143.16, 139.90, 138.64, 138.34, 136.61, 133.28, 129.54, 129.36, 128.97, 127.37, 126.66, 114.27, 114.22, 110.04, 20.87 (CH3).
【０１０１】
ＸＶＩ、Ｃ21Ｈ21Ｎ3Ｏ5Ｓ2、Ｍ＝４５９．５、Ｎ−（（３−（トシルアミド）フェニル）カルバモイル）トシルアミド
MS (ESI): m/z (%) = 458.1 (100) [M-H]-, 287.0 (4) [M-H-Ar2SO2NH2]-.
1H-NMR (500 MHz, DMSO-d6): δ (ppm) = 10.53 (1H, s), 10.17 (1H, s), 8.82 (1H, s), 7.86-7.85 (2H, m), 7.65-7.63 (2H, m), 7.42-7.41 (2H, m), 7.30-7.28 (2H, m), 7.24-7.24 (1H, m), 7.10-7.06 (1H, m), 6.97-6.95 (1H, m), 6.77-6.75 (1H, m), 2.38 (3H, s), 2.30 (3H, s).
13C-NMR (126 MHz, DMSO-d6): δ (ppm) = 149.05 (NHCONH), 143.80, 143.15, 138.68, 138.35, 137.03, 136.62, 129.54, 129.39, 129.36, 127.46, 126.67, 114.22, 114.17, 109.98, 20.99 (CH3), 20.87 (CH3).
【０１０２】
ＸＶＩＩ、Ｃ20Ｈ19Ｎ3Ｏ5Ｓ2、Ｍ＝４４５．５、Ｎ−（（４−（フェニルスルホンアミド）フェニル）カルバモイル）トシルアミド
MS (ESI): m/z (%) = 444.0 (100) [M-H]-, 273.0 (5) [M-H-Ar2SO2NH2]-.
1H-NMR (500 MHz, DMSO-d6): δ (ppm) = 10.47 (1H, s), 10.05 (1H, s), 8.70 (1H, s), 7.84-7.82 (2H, m), 7.70-7.68 (2H, m), 7.58-7.55 (1H, m), 7.52-7.49 (2H, m), 7.40-7.39 (2H, m), 7.20-7.18 (2H, m), 6.99-6.97 (2H, m), 2.37 (3H, s).
13C-NMR (126 MHz, DMSO-d6): δ (ppm) = 149.19 (NHCONH), 143.77, 139.39, 137.06, 134.61, 132.72, 132.72, 129.41, 129.09, 127.41, 126.59, 121.63, 119.83, 20.99 (CH3).
【０１０３】
ＸＶＩＩＩ、Ｃ20Ｈ19Ｎ3Ｏ5Ｓ2、Ｍ＝４４５．５、Ｎ−（４−（３−（フェニルスルホニル）ウレイド）フェニル）トシルアミド
MS (ESI): m/z (%) = 444.0 (100) [M-H]-, 287.0 (5) [M-H-Ar2SO2NH2]-.
1H-NMR (500 MHz, DMSO-d6): δ (ppm) = 10.70 (1H, s), 9.98 (1H, s), 8.73 (1H, s), 7.96-7.95 (2H, m), 7.69-7.66 (1H, m), 7.62-7.57 (4H, m), 7.30-7.29 (2H, m), 7.20-7.18 (2H, m), 7.00-6.97 (2H, m), 2.30 (3H, s)
13C-NMR (126 MHz, DMSO-d6): δ (ppm) = 149.16 (NHCONH), 143.04, 139.94, 136.56, 134.40, 133.25, 132.96, 129.51, 128.98, 127.31, 126.64, 121.41, 119.91, 20.87 (CH3).
【０１０４】
ＸＩＸ、Ｃ21Ｈ21Ｎ3Ｏ5Ｓ2、Ｍ＝４５９．５、Ｎ−（（４−（トシルアミド）フェニル）カルバモイル）トシルアミド
MS (ESI): m/z (%) = 458.1 (100) [M-H]-, 287.1 (4) [M-H-Ar2SO2NH2]-.
1H-NMR (500 MHz, DMSO-d6): δ (ppm) = 10.55 (1H, s), 9.97 (1H, s), 8.68 (1H, s), 7.84-7.82 (2H, m), 7.59-7.57 (2H, m), 7.40-7.39 (2H, m), 7.30-7.28 (2H, m), 7.20-7.17 (2H, m), 7.00-6.97 (2H, m), 2.37 (3H, s), 2.30 (3H, s).
13C-NMR (126 MHz, DMSO-d6): δ (ppm) = 149.17 (NHCONH), 143.75, 143.03, 137.07, 136.56, 134.44, 132.91, 129.51, 129.39, 127.39, 126.63, 121.42, 119.84, 20.97 (CH3), 20.86 (CH3).
【０１０５】
ＸＸ、Ｃ29Ｈ29Ｎ5Ｏ8Ｓ3、Ｍ＝６７１．８、Ｎ，Ｎ’−（（（３−トシルアミド−ｌ，２−フェニレン）ビス（アザンジイル））ビス（カルボニル））ビス（トシルアミド）
MS (ESI): m/z (%) = 670.0 (21) [M-H]-, 499.0 (100) [M-H-Ar2SO2NH2]-, 302.0 (70) [M-H-Ar2SO2NCO-Ar2SO2NH2]-.
1H-NMR (500 MHz, DMSO-d6): δ (ppm) = 11.38 (1H, s), 11.18 (1H, s), 9.47 (1H, s), 8.16 (1H, s), 7.91 (1H, s), 7.91-7.89 (2H, m), 7.80-7.78 (2H, m), 7.54-7.53 (1H, m), 7.49-7.47 (2H, m), 7.42-7.40 (4H, m), 7.29-7.28 (2H, m), 7.00-6.97 (1H, m), 6.42-6.40 (1H, m), 2.39 (3H, s), 2.38 (3H, s), 2.34 (3H, s).
13C-NMR (126 MHz, DMSO-d6): δ (ppm) = 150.34 (NHCONH), 149.01 (NHCONH), 143.91, 143.64, 143.34, 137.20, 136.81, 136.01, 135.71, 133.30, 129.52, 129.50, 129.45, 127.22, 127.20, 126.89, 125.57, 122.98, 119.81, 119.08, 21.01 (CH3), 21.01 (CH3), 20.95 (CH3).
【０１０６】
ＸＸＩ、Ｃ27Ｈ25Ｎ5Ｏ8Ｓ3、Ｍ＝６４３．７、Ｎ，Ｎ’−（（（４−トシルアミド−ｌ，３−フェニレン）ビス（アザンジイル））ビス（カルボニル））ビス（ベンゼンスルホンアミド）
MS (ESI): m/z (%) = 644.0 (79) [M+H]+.
1H-NMR (500 MHz, DMSO-d6): δ (ppm) = 11.69 (1H, s), 10.62 (1H, s), 9.36 (1H, s), 8.94 (1H, s), 8.53 (1H, s), 8.00-7.98 (2H, m), 7.95-7.93 (2H, m), 7.91 (1H, d, J = 2.5 Hz), 7.74-7.59 (6H, m), 7.52-7.50 (2H, m), 7.33-7.32 (2H, m), 6.86 (1H, dd, J = 8.7, 2.5 Hz), 6.23 (1H, d, J = 8.7 Hz), 2.35 (3H, s).
13C-NM R (126 MHz, DMSO-d6): δ (ppm) = 149.05 (NHCONH), 148.98 (NHCONH), 143.35, 139.85, 139.72, 137.58, 136.32, 135.91, 133.45, 133.30, 129.47, 129.13, 129.01, 127.95, 127.35, 127.21, 125.84, 119.89, 113.18, 110.52, 20.98 (CH3).
【０１０７】
ＸＸＩＩ、Ｃ29Ｈ29Ｎ5Ｏ8Ｓ3、Ｍ＝６７１．８、Ｎ，Ｎ’−（（（４−トシルアミド−ｌ，３−フェニレン）ビス（アザンジイル））ビス（カルボニル））ビス（トシルアミド）
MS (ESI): m/z (%) = 670.0 (15) [M-H]-, 499.0 (100) [M-H-Ar2SO2NH2]-, 473.0 (2) [M-H-Ar2SO2NCO]-, 328.0 (5) [M-H-2xAr2SO2NH2]-.
1H-NMR (500 MHz, DMSO-d6): δ (ppm) = 11.60 (1H, s), 10.69 (1H, s), 9.34 (1H, s), 9.18 (1H, s), 8.55 (1H, s), 7.91 (1H, d, J = 2.4 Hz), 7.87-7.85 (2H, m), 7.82- 7.80 (2H, m), 7.51-7.50 (2H, m), 7.45-7.43 (2H, m), 7.40-7.39 (2H, m), 7.32-7.31 (2H, m), 6.82 (1H, dd, J = 8.7, 2.4 Hz), 6.24 (1H, d, J = 8.7 Hz), 2.40 (3H, s), 2.38 (3H, s), 2.35 (3H, s).
13C-NM R (126 MHz, DMSO-d6): δ (ppm) = 149.09 (NHCONH), 148.93 (NHCONH), 143.95, 143.76, 143.31, 137.61, 136.99, 136.87, 136.29, 135.91, 129.54, 129.42, 129.42, 127.92, 127.40, 127.38, 127.21, 119.77, 112.96, 110.27, 21.01 (CH3), 21.00 (CH3), 20.99 (CH3).
【０１０８】
ＸＸＩＩＩ、Ｃ29Ｈ29Ｎ5Ｏ8Ｓ3、Ｍ＝６７１．８、Ｎ，Ｎ’−（（（２−トシルアミド−ｌ，４−フェニレン）ビス（アザンジイル））ビス（カルボニル））ビス（トシルアミド）
MS (ESI): m/z (%) = 670.0 (60) [M -H]-, 499.0 (100) [M-H-Ar2SO2NH2]-.
1H-NMR (500 MHz, DMSO-d6): δ (ppm) = 11.38 (1H, s), 10.47 (1H, s), 9.47 (1H, s), 8.68 (1H, s), 8.33 (1H, s), 7.86-7.84 (2H, m), 7.82-7.81 (2H, m), 7.62 (1H, d, J = 9.0 Hz), 7.54-7.52 (2H, m), 7.43-7.41 (4H, m), 7.28-7.26 (2H, m), 7.05 (1H, dd, J = 9.0, 2.5 Hz), 6.76 (1H, d, J = 2.5 Hz), 2.39 (3H, s), 2.38 (3H, s), 2.32 (3H, s).
13C NM R (126 MHz, DMSO-d6): δ (ppm) = 149.20 (NHCONH), 148.86 (NHCONH), 143.87, 143.78, 143.32, 137.05, 137.02, 135.99, 133.65, 129.88, 129.51, 129.45, 129.37, 127.43, 127.35, 127.02, 126.39, 121.75, 117.81, 117.28, 21.01 (CH3), 21.01 (CH3), 20.97 (CH3).
【０１０９】
ＸＸＩＶ、Ｃ29Ｈ29Ｎ5Ｏ8Ｓ3、Ｍ＝６７１．８、Ｎ，Ｎ’−（（（２−トシルアミド−ｌ，３−フェニレン）ビス（アザンジイル））ビス（カルボニル））ビス（トシルアミド）
MS (ESI): m/z (%) = 670.1 (100) [M-H]-, 499.0 (33) [M-H-Ar2SO2NH2]-, 473.0 (29) [M-H-Ar2SO2NCO]-, 328.1 (23) [M-H-2xAr2SO2NH2]-, 302.0 (21) [M-H-Ar2SO2NCO-Ar2SO2NH2]-.
1H-NMR (500 MHz, DMSO-d6): δ (ppm) = 11.22 (2H, s), 8.91 (1H, s), 8.13 (2H, s), 7.84-7.82 (4H, m), 7.43-7.42 (4H, m), 7.40-7.38 (2H, m), 7.37-7.35 (2H, m), 7.19-7.17 (2H, m), 7.13-7.09 (1H, m), 2.39 (6H, s), 2.27 (3H, s).
13C NMR (126 MHz, DMSO-d6): δ (ppm) = 148.89 (NHCONH), 143.85, 143.78, 136.95, 136.62, 135.51, 129.44, 129.22, 128.40, 127.28, 126.87, 116.40, 115.44, 20.97 (CH3), 20.95 (CH3), 20.95 (CH3).
【０１１０】
感熱記録紙の感熱発色層を形成するための塗布される水性懸濁液を、坪量６３ｇ／ｍ2の合成原紙（Ｙｕｐｏ（登録商標）ＦＰ６８０）の片側にドクターバーによって実験室規模で塗布した。乾燥すると、熱記録材料シートが得られた。感熱発色層の塗布量は、３．８〜４．２ｇ／ｍ2であった。
【０１１１】
感熱記録材料または感熱紙を上述の詳細に基づいて生成した。ここで、以下の塗布される水性懸濁液の配合を使用して、複合構造を担体基材に形成し、次いで更なる層、特に保護層を通常のように形成したが、これらをここでは別々に詳述しない。
【０１１２】
塗布される懸濁液のための分散液（いずれの場合も１重量部）の調製
水性分散液Ａ（発色剤分散液）は、ビーズミル中で３−Ｎ−ｎ−ジブチルアミノ−６−メチル−７−アニリノフルオラン（ＯＤＢ−２）（２０重量部）をＧｈｏｓｅｎｅｘ（商標）  Ｌ−３２６６（スルホン化ポリビニルアルコール、Ｎｉｐｐｏｎ  Ｇｈｏｓｅｉ社）の１５％水性溶液（３３重量部）と粉砕することによって調製した。
【０１１３】
水性分散液Ｂ（顕色剤分散液）は、ビーズミル中で顕色剤（４０重量部）をＧｈｏｓｅｎｅｘ（商標）Ｌ−３２６６の１５％水性溶液（６６重量部）と一緒に粉砕することによって調製した。
【０１１４】
水性分散液Ｃ（増感剤分散液）は、ビーズミル中で増感剤（４０重量部）をＧｈｏｓｅｎｅｘ（商標）Ｌ−３２６６の１５％水性溶液（３３重量部）と粉砕することによって調製した。
【０１１５】
粉砕することによって生成された分散液はすべて、平均粒径Ｄ(4,3)が０．８０〜１．２０μｍであった。分散液の粒径分布は、Ｂｅｃｋｍａｎ  Ｃｏｕｌｔｅｒ社のＣｏｕｌｔｅｒ  ＬＳ２３０装置を使用してレーザー回折によって測定した。
【０１１６】
分散液Ｄ（滑剤分散液）は、９重量部のステアリン酸Ｚｎ、１重量部のＧｈｏｓｅｎｅｘ（商標）Ｌ−３２６６、および４０重量部の水からなる２０％ステアリン酸亜鉛分散液であった。
【０１１７】
顔料Ｐは、７２％被覆カオリン懸濁液（Ｌｕｓｔｒａ（登録商標）Ｓ、ＢＡＳＦ社）であった。
【０１１８】
結合剤は、１０％ポリビニルアルコール水溶液（Ｍｏｗｉｏｌ  ２８−９９、Ｋｕｒａｒａｙ  Ｅｕｒｏｐｅ社）からなるものであった。
【０１１９】
塗布される感熱懸濁液は、導入順序Ｂ、Ｄ、Ｃ、Ｐ、Ａ、結合剤を考慮して、撹拌下にＡ（１部）、Ｂ（１部）、Ｃ（１部）、Ｄ（５６部）、顔料Ｐ（１４６部）、および結合剤溶液（１３８部）（すべて重量部）を混合し、水を加えて混合物の固形分を約２５％にすることによって調製した。
【０１２０】
こうして得られた感熱被覆懸濁液を使用して、紙担体と熱反応層の複合構造を生成した。
【０１２１】
熱記録材料を、以下に記載のように評価した（表３、４および５を参照のこと）。
【０１２２】
（１）動的色濃度：
紙（幅６ｃｍの細片）に、２００ｄｐｉおよび５６０オームのＫｙｏｃｅｒａ印刷ヘッドを備えたＡｔｌａｎｔｅｋ  ２００試験プリンタ（Ａｔｌａｎｔｅｋ社、ＵＳＡ）を印加電圧２０．６Ｖおよび最大パルス幅０．８ｍ秒で使用して、１０エネルギー段階の市松模様を熱印刷した。画像濃度（光学濃度（ｏ．Ｄ．））は、Ｘ−Ｒｉｔｅ社のＳｐｅｃｔｒｏＥｙｅ濃度計を使用して０．２５および０．４５ｍＪ／ドットのエネルギー段階で測定した。ｏ．Ｄ．値の測定の不確かさは≦２％と推定された。
【０１２３】
（２）静的色濃度（開始温度）：
記録材料シートを、様々な温度に加熱された一連のサーモスタット制御金型にプレスオン圧力０．２ｋｇ／ｃｍ2および接触時間５秒でプレスした（熱試験機ＴＰ  ３０００ＱＭ、Ｍａｓｃｈｉｎｅｎｆａｂｒｉｋ  Ｈａｎｓ  Ｒｙｃｈｉｇｅｒ  ＡＧ社、Ｓｔｅｆｆｉｓｂｕｒｇ，  Ｓｗｉｔｚｅｒｌａｎｄ）。こうして生成された画像の画像濃度（光学濃度）は、Ｘ−Ｒｉｔｅ社のＳｐｅｃｔｒｏＥｙｅ濃度計を使用して測定した。
【０１２４】
静的開始点は、定義によれば、光学濃度０．２が達成される最低温度である。測定方法の正確度は≦±０．５℃であった。
【０１２５】
（３）印刷画像の耐性試験：
ａ）可塑剤耐性：
可塑剤を含有するクリングフィルム（２０〜２５％アジピン酸ジオクチルを含むＰＶＣフィルム）を、（１）の下で方法に従って動的に記録しておいた熱記録紙の試料と接触させ、折り目および空気の包含を回避し、次いで巻いてロールにし、１６時間貯蔵した。１つの試料を室温（２０〜２２℃）で貯蔵し、更なる試料を４０℃で貯蔵した。フィルムを除去した後、画像濃度（ｏ．Ｄ．）を測定し、式（数式１）に従って可塑剤の作用の前に対応する画像濃度値に対して設定した。
【０１２６】
ｂ）接着剤に対する耐性：
Ｔｅｓａ社の透明な自己接着性テープ（ｔｅｓａｆｉｌｍ（登録商標）クリスタル−クリア、＃５７３１５）の細片、およびそれとは別にＴｅｓａ社の包装接着テープ（＃０４２０４）の細片を、（１）の下で方法に従って動的に記録しておいた熱記録紙の試料に接着させ、折り目および空気の包含を回避した。室温（２０〜２２℃）で貯蔵した後、特定の接着テープにより画像濃度（ｏ．Ｄ．）を２４時間後および７日後に測定し、式（数式１）に従って、新たに接着させた供試体の同様にして決定した画像濃度値に対して設定した。
【０１２７】
【数１】
2020520833.tif 000008
【０１２８】
（数式１）によって算出された値（％）の散乱は、≦±２パーセント点であった。
【０１２９】
表３〜５に、生成された記録材料の評価をまとめる。
【表３】
2020520833.tif 000009
【０１３０】
【表４】
2020520833.tif 000010
*:比較例
【０１３１】
【表５】
2020520833.tif 000011
【０１３２】
以上の実施例から、本発明の感熱記録材料は、特に以下の有利な特性を与えることがわかる。
（１）本発明による顕色剤をベースにする感熱記録材料の記録された画像は、先行技術による比較供試体の印刷濃度に匹敵する印刷濃度（光学濃度）を有する（表３）。
（２）本発明による置換パターン（関連官能基の１，２位（オルト位））を有する顕色剤をベースにする感熱記録材料は、代替の置換パターン（関連官能基の１，３および１，４位）を有する顕色剤をベースにする記録材料より有意に高い印刷濃度を有する。ＩＩとＸＩＶおよびＸＶＩＩ、ＩＩＩとＸＶおよびＸＶＩＩＩ、ならびにＩＶとＸＶＩおよびＸＩＸを参照のこと（表４）。
（３）本発明による記録材料の視覚的に認識可能なグレーイングが始まる温度（静的開始点）は、市場に出せる感熱記録材料の要件を満たす（表３）。
（４）疎水性作用剤（接着剤、可塑剤）の作用後の画像耐性は、先行技術による公知の非フェノール系顕色剤材料の対応する性能よりよいまたはそれに匹敵する（表５）。
（５）本発明による顕色剤を用いて、重要な塗布特性に関して高品質の感熱記録材料を得ることができる。公知の顕色剤をベースにする記録材料はいずれも、すべての試験特性にわたってバランスのとれた匹敵する性能プロファイルを有さない。
【国際調査報告】
2020520833.tif 000013
2020520833.tif 000014
2020520833.tif 000015
2020520833.tif 000016